(57)【特許請求の範囲】
【請求項１】
商品購入可能な金額が投入されたとき、商品温度検知手段により庫内の各商品の温度を検知し、その結果ホットの適温であった商品に対応する選択釦の販売可能ランプを暖色ＬＥＤで点灯させ、コールドの適温であった商品に対応する選択釦の販売可能ランプを寒色ＬＥＤで点灯させ、ホットの適温でもコールドの適温でもなかった商品に対応する選択釦の販売可能ランプを前記暖色ＬＥＤと前記寒色ＬＥＤのどちらも発光させた第３色で点灯させることを特徴とした自動販売機の制御装置。
【請求項２】
商品購入可能な金額が投入されたとき、商品温度検知手段により庫内の各商品の温度を検知し、その結果ホットの適温であった商品に対応する選択釦の販売可能ランプを暖色ＬＥＤで点灯させ、コールドの適温であった商品に対応する選択釦の販売可能ランプを寒色ＬＥＤで点灯させ、ホットの適温でもコールドの適温でもなかった商品に対応する選択釦の販売可能ランプを前記暖色ＬＥＤと前記寒色ＬＥＤのどちらも発光させた第３色で点滅させることを特徴とした自動販売機の制御装置。
【請求項３】
商品購入可能な金額が投入されたとき、商品温度検知手段により庫内の各商品の温度を検知し、その結果ホットの適温であった商品に対応する選択釦の販売可能ランプを暖色ＬＥＤで点灯させ、コールドの適温であった商品に対応する選択釦の販売可能ランプを寒色ＬＥＤで点灯させ、ホットの適温でもコールドの適温でもなかった商品に対応する選択釦の販売可能ランプを前記暖色ＬＥＤと前記寒色ＬＥＤのどちらも発光させた第３色で、自動販売機の周囲が比較的明るいことを光電センサにより検知したときは点滅させ、自動販売機の周囲が比較的暗いことを光電センサにより検知したときは点灯させることを特徴とした自動販売機の制御装置。
【発明の詳細な説明】
【０００１】
【発明の属する技術分野】
本発明は商品の情報を表示させる自動販売機の制御装置に関するものである。
【０００２】
【従来の技術】
従来の商品の情報を表示させる自動販売機の制御装置としては、例えば特開平４−２４６７９７号公報に開示されているものがある。
【０００３】
以下、図面を参照しながら上記従来の自動販売機の制御装置を説明する。
【０００４】
図７は従来の自動販売機の制御装置のブロック図である。
【０００５】
図７において、１１は各商品が補給されたことを検知する補給検知センサ、１２は補給検知センサ１１が商品補給を検知してから経過した時間によって商品が適温であるか否かを判断する適温判断手段、１３は商品が不適温であることを報知する適温報知手段、１４は商品の販売の可否を判定する販売判定手段である。
【０００６】
以上のように構成された自動販売機の制御装置について、以下その動作を説明する。
【０００７】
適温判断手段１２が各商品が補給されたことを検知する補給検知センサ１１により商品の補給を検知されてから加熱または冷却された時間が設定時間を超えていれば適温であると判断し、超えていなければ不適温であると判断し、適温報知手段１３によって不適温であると判断された商品が商品選択手段（図示せず）により選択された場合に不適温確認の旨を表示出力や音声等で報知するとともに他の適温の商品への選択を報知し、販売判定手段１４は適温の商品を販売可能とするとともに不適温な商品の販売も可能とする。
【０００８】
【発明が解決しようとする課題】
しかしながら、上記従来の構成では、一度選択操作が行なわれるまで商品が不適温であることが確認できず、購入者に余分な動作をさせてしまう。
【０００９】
本発明は、従来の課題を解決するもので、商品選択操作を行う前に商品が適温であるか否かを確認することができる自動販売機の制御装置を提供することを目的とする。
【００１０】
【課題を解決するための手段】
本発明の請求項１に記載の発明は、商品購入可能な金額が投入されたとき、商品温度検知手段により庫内の各商品の温度を検知し、その結果ホットの適温であった商品に対応する選択釦の販売可能ランプを暖色ＬＥＤで点灯させ、コールドの適温であった商品に対応する選択釦の販売可能ランプを寒色ＬＥＤで点灯させ、ホットの適温でもコールドの適温でもなかった商品に対応する選択釦の販売可能ランプを前記暖色ＬＥＤと前記寒色ＬＥＤのどちらも発光させた第３色で点灯させることを特徴とし、商品温度検知手段により庫内の各商品の温度を検知し、その結果ホット、又はコールドの適温か不適温かにより販売可能ランプを商品の販売可能額が投入された直後に点灯させるので、商品選択操作を行う前に商品が適温であるか否かを確認することができるという作用を有する。
【００１１】
請求項２記載の発明は、商品購入可能な金額が投入されたとき、商品温度検知手段により庫内の各商品の温度を検知し、その結果ホットの適温であった商品に対応する選択釦の販売可能ランプを暖色ＬＥＤで点灯させ、コールドの適温であった商品に対応する選択釦の販売可能ランプを寒色ＬＥＤで点灯させ、ホットの適温でもコールドの適温でもなかった商品に対応する選択釦の販売可能ランプを前記暖色ＬＥＤと前記寒色ＬＥＤのどちらも発光させた第３色で点滅させるため、周囲が明るく点灯色を誤認しやすい環境下でも、商品が不適温であることを誤認することなく、商品が適温であるか否かを確実に確認することができるという作用を有する。
【００１２】
請求項３に記載の発明は、商品購入可能な金額が投入されたとき、商品温度検知手段により庫内の各商品の温度を検知し、その結果ホットの適温であった商品に対応する選択釦の販売可能ランプを暖色ＬＥＤで点灯させ、コールドの適温であった商品に対応する選択釦の販売可能ランプを寒色ＬＥＤで点灯させ、ホットの適温でもコールドの適温でもなかった商品に対応する選択釦の販売可能ランプを前記暖色ＬＥＤと前記寒色ＬＥＤのどちらも発光させた第３色で、自動販売機の周囲が比較的明るいことを光電センサにより検知したときは点滅させ、自動販売機の周囲が比較的暗いことを光電センサにより検知したときは点灯させることを特徴とし、周囲が明るいときにも商品が適温であるか否かを確実に確認することができるばかりでなく、周囲が暗いときには点灯させるのみにすることで、販売可能ランプの消耗を抑制する作用を有する。
【００１３】
【発明の実施の形態】
（実施の形態１）
図１は本発明の実施の形態１による自動販売機の制御装置の要部構成を示すブロック図、図２は同実施の形態の動作を示すフローチャートである。
【００１４】
図１において、１は投入された金銭を計数する貨幣選別装置、２は庫内の各商品の温度を検知する商品温度検知手段、３は庫内の商品毎に対応した選択釦、４ａは選択釦３に備えられた暖色、寒色及び少なくとももう一種類の色を点灯させることができる販売可能ランプ、５は選択釦３毎に対応した商品搬出装置、６は商品が適温であるか否かを判定し販売可能ランプを３色以上の点灯色で点灯させる演算制御部である。
【００１５】
以上から構成された自動販売機の制御装置について、その要部動作を図２のフローチャートに添って説明する。
【００１６】
貨幣選別装置１に金銭が投入されると（ＳＴＥＰ１０１）、それが各商品毎に設定された販売額以上の金額であるか否かを判定し（ＳＴＥＰ１０２）、販売可能な庫内の各商品がコールド又はホットのどちらに設定されているかを判定し（ＳＴＥＰ１０３）、続けて商品温度検知手段２によって各商品の温度を検知する（ＳＴＥＰ１０４，ＳＴＥＰ１０５）。
【００１７】
次に、商品温度検知手段２にて検知された各商品の温度がコールド、ホットそれぞれについて、予め設定されている温度範囲内にあれば適温であると、なければ不適温であると判定し（ＳＴＥＰ１０６、ＳＴＥＰ１０７）、適温であれば各商品に対応する選択釦３に備えられた販売可能ランプ４ａをコールドのときは青などの寒色で点灯させ（ＳＴＥＰ１０８）、ホットのときは橙などの暖色で点灯させ（ＳＴＥＰ９）、適温でなければ第３色、例えばＬＥＤを２色同時に発光させることで紫を点灯させ、これをもって各商品が適温であるか否かを購入者に報知する（ＳＴＥＰ１１０）。
【００１８】
その後、選択釦３が操作されると（ＳＴＥＰ１１１〜ＳＴＥＰ１１３）、商品搬出装置５によって選択釦３に対応した商品を販売する（ＳＴＥＰ１１４）。
【００１９】
また、本実施の形態では、不適温の商品も販売可能にしているが不適温の商品を販売不可にしても構わない。
【００２０】
以上のように、実施の形態１の構成では、適温である商品を販売できるだけでなく、不適温の商品についても、購入者がその商品の購入を希望すれば第３色に点灯した選択釦３を操作することでその商品を販売することができ、販売可能金額投入の時点で商品が適温であるか否かを確認することができる。
【００２１】
（実施の形態２）
図３は本発明の実施の形態２による自動販売機の制御装置の要部構成を示すブロック図、図４は同実施の形態の動作を示すフローチャートである。
【００２２】
なお、実施の形態１と同一構成のものは同一符号を付して詳細な説明を省略する。
【００２３】
図３において、４ｂは選択釦３に備えられた暖色、寒色及び少なくとももう一種類の色を点灯又は点滅させることができる販売可能ランプ、６ｂは商品が適温であるか否かを判定し販売可能ランプを３色以上の点灯色で点灯または点滅させる演算制御部である。
【００２４】
以上から構成された自動販売機の制御装置について、その要部動作を図４のフローチャートに添って説明する。
【００２５】
図４に示す実施の形態１の図２のＳＴＥＰ１０１〜ＳＴＥＰ１１４の動作と本実施の形態のＳＴＥＰ２０１〜ＳＴＥＰ２１４の動作はほぼ同一であり、両者は実施の形態１ではＳＴＥＰ１１０において販売可能ランプ４ｂを第３色にて点灯させるのに対し、本実施の形態ではＳＴＥＰ２１０において販売可能ランプ４ｂを第３色にて点滅させる点でのみ異なっている。
【００２６】
以上のように、実施の形態２の構成では、例えば太陽光などによって周囲が明るいときでも、第３色を購入者が誤認せず、各商品が適温であるか否かを確認することができる。
【００２７】
（実施の形態３）
図５は本発明の実施の形態３による自動販売機の制御装置の要部構成を示すブロック図、図６は同実施の形態の動作を示すフローチャートである。
【００２８】
なお、上述の実施の形態と同一構成のものは同一符号を付して詳細な説明を省略する。
【００２９】
図５において、６ｃは商品が適温であるか否かを判定し販売可能ランプを３色以上の点灯色で、自動販売機の周囲が比較的明るいときは点滅させ、自動販売機の周囲が比較的暗いときは点滅させる演算制御部、７は明暗を検知する光電センサである。
【００３０】
以上から構成された自動販売機の制御装置について、その要部動作を図６のフローチャートに添って説明する。
【００３１】
図６に示す本実施の形態のＳＴＥＰ３０１〜ＳＴＥＰ３０９の動作は実施の形態１の図２のＳＴＥＰ１０１〜ＳＴＥＰ１０９の動作と同一である。
【００３２】
本実施の形態では、ＳＴＥＰ３０６、ＳＴＥＰ３０７にて商品が適温でなければ、光電センサ７によって自動販売機の周囲が明るいか否かを判定し（ＳＴＥＰ３１０）、明るければ販売可能ランプ４ｂを第３色で点滅させ（ＳＴＥＰ３１１）、明るくなければ販売可能ランプ４ｂを第３色で点灯（ＳＴＥＰ３１２）させ、これをもって各商品が適温であるか否かを購入者に報知する。
【００３３】
その後、選択釦３が操作されると（ＳＴＥＰ３１３〜ＳＴＥＰ１１５）、商品搬出装置５によって選択釦３に対応した商品を販売する（ＳＴＥＰ３１６）。
【００３４】
以上のように、実施の形態３の構成では、周囲が明るいときにも商品が適温であるか否かを確実に確認することができるばかりでなく、周囲が暗いときには点灯させるのみにすることで、販売可能ランプの消耗を抑制できる。
【００３５】
【発明の効果】
以上説明したように請求項１に記載の発明は、商品購入可能な金額が投入されたとき、商品温度検知手段により庫内の各商品の温度を検知し、その結果ホットの適温であった商品に対応する選択釦の販売可能ランプを暖色ＬＥＤで点灯させ、コールドの適温であった商品に対応する選択釦の販売可能ランプを寒色ＬＥＤで点灯させ、ホットの適温でもコールドの適温でもなかった商品に対応する選択釦の販売可能ランプを前記暖色ＬＥＤと前記寒色ＬＥＤのどちらも発光させた第３色で点灯させるものであり、商品が適温であるか否かを区別し、適温である商品を販売できるだけでなく、不適温の商品についても、購入者がその商品の購入を希望すれば第３色に点灯した選択釦を操作することでその商品を販売することができ、販売可能金額投入の時点で商品が適温であるか否かを確認することができる。
【００３６】
また、請求項２に記載の発明は、周囲が明るいときにも不適温の点灯色を誤認することなく、商品が適温であるか否かを確実に確認することができる。
【００３７】
さらに、請求項３に記載の発明は、周囲が明るいときにも商品が適温であるか否かを確実に確認することができるばかりでなく、周囲が暗いときには点灯させるのみにすることで、販売可能ランプの消耗を抑制することができる。
【図面の簡単な説明】
【図１】本発明による自動販売機の制御装置の実施の形態１による要部構成を示すブロック図
【図２】同実施の形態の自動販売機の制御装置の動作を示すフローチャート
【図３】本発明による自動販売機の制御装置の実施の形態２による要部構成を示すブロック図
【図４】同実施の形態の自動販売機の制御装置の動作を示すフローチャート
【図５】本発明による自動販売機の制御装置の実施の形態３による要部構成を示すブロック図
【図６】同実施の形態の自動販売機の制御装置の動作を示すフローチャート
【図７】従来の自動販売機の要部構成を示すブロック図
【符号の説明】
１  貨幣選別装置
２  商品温度検知手段
３  選択釦
４ａ，４ｂ  販売可能ランプ
５  商品搬出装置
６ａ，６ｂ，６ｃ  演算制御部
７  光電センサ
【図１】
0004626049.tif 000002
【図２】
0004626049.tif 000003
【図３】
0004626049.tif 000004
【図４】
0004626049.tif 000005
【図５】
0004626049.tif 000006
【図６】
0004626049.tif 000007
【図７】
0004626049.tif 000008